(57)【要約】【課題】経時変化によりプラスチックの劣化は表面層から内部に進行していく。このような劣化度合いを従来方法では、判断することができなかった。【解決手段】打抜かれた試験片１をチャッキング部６により狭持し、識別検出部３に試験片１の打抜き断面の左端部９が接触するように移動手段７によりチャッキング部６を移動させ、試験片１を押圧接触させ識別測定する。さらに、試験片１の厚み方向に移動手段７によりチャッキング部６を移動させ、再び試験片１を押圧接触させ識別測定する。これを繰り返し、試験片１の右端部１０を識別測定するまで同一直線上を複数ポイントで識別測定することでプラスチック種類、劣化度合いを識別判断する。【選択図】    図４
2004151067.tif 000002
【特許請求の範囲】
【請求項１】
プラスチックの種類を識別する識別検出部に試験片を置き、押圧子により前記試験片を押圧し赤外分析する全反射測定法を用いてプラスチックの種類を識別測定するプラスチック識別方法であって、前記試験片を移動させて前記試験片の複数ポイントにおいて測定することを特徴とするプラスチック識別方法。
【請求項２】
試験片を打抜き加工し、前記試験片の打抜き断面を全反射測定法を用いてプラスチックの種類を識別測定するプラスチック識別方法であって、前記試験片を打抜き断面の厚み方向に移動させて複数ポイント測定することを特徴とするプラスチック識別方法。
【請求項３】
プラスチックの種類を識別する識別検出部と、前記プラスチックから試験片をサンプリングするサンプリング部と、前記試験片を前記識別検出部に供給する試験片供給部と、前記試験片供給部に併設して前記試験片を保脱可能に狭持するチャッキング部と、さらに前記チャッキング部を前後左右に移動させる移動手段および／または前記チャッキング部を回転させる回転手段を備えたことを特徴とするプラスチック識別装置。
【発明の詳細な説明】
【０００１】
【発明の属する技術分野】
本発明は、廃棄プラスチックの再利用を目的とし、家庭電化製品、自動車などに使われているプラスチックの種類を識別するプラスチック識別方法および装置に関するものである。
【０００２】
【従来の技術】
従来、家庭などから排出されていた廃棄されるプラスチック（以下、廃棄プラスチックと記す）は、焼却処理や埋め立て処理されていたが、地球環境の悪化、埋め立て地の不足など社会的に問題となってきている。そこで近年、廃棄プラスチックの分別回収やリサイクルに対しての取組みがなされており、そのためには、廃棄プラスチックの種類を識別しなければならない。
識別方法としては、比重を利用した方法や蛍光Ｘ線、赤外光を利用した方法などがあり、赤外光を利用し高精度に識別する方法として、廃棄プラスチックの一部を打抜き、打抜かれた試験片の表面と断面を識別装置の識別検出部に押圧して赤外分光分析する方法があった（例えば、特許文献１参照）。
【０００３】
【特許文献１】
特開２００２−１６８７７７号公報（図１）
【０００４】
【発明が解決しようとする課題】
しかしながら、廃棄プラスチックは表面に汚れや異物などが付着しているものが多く、これらが弊害となって高精度に識別することができなかった。上記のように、試験片の断面を測定する方法では、汚れ、異物の影響がなく精度良く測定することができるが、偶然にも識別検出部と試験片の間に異物が挟まったりすることがあり、必ずしも１回の測定でプラスチックの種類を識別できるとは限らない。
【０００５】
また、廃棄プラスチックは、外部環境など経時変化により表面層が劣化しており、時間がたつにつれ劣化は表面層からプラスチック内部に進行していく。このような劣化度合いを従来のような識別方法では、判断することができなかった。
【０００６】
さらに、近年、成形技術の発達により、２つの種類のプラスチックを重なり合わせて成形する２色成形や、挟み込んで成形するサンドイッチ成形の成形品が製品に使用されている。このような製品の２種類のプラスチックを識別するためには、従来方法では識別できなかった。
【０００７】
本発明は、上記課題を解決するためになされたものであり、廃棄プラスチックを汚れや異物の影響なく識別することができ、また、プラスチックの劣化度合いを判断することができる。さらに、２色成形品やサンドイッチ成形品に対しても、確実に精度良く２種類のプラスチックを識別することができる識別方法および装置を提供することを目的とする。
【０００８】
【課題を解決するための手段】
前記目的を達成するために本発明は以下の構成とする。
【０００９】
本発明のプラスチック識別方法は、プラスチックの種類を識別する識別検出部に試験片を置き、押圧子により前記試験片を押圧し赤外分析する全反射測定法を用いてプラスチックの種類を識別測定するにあたり、前記識別検出部で前記試験片を移動させ、前記試験片の同一面を複数ポイント測定することを特徴とするプラスチック識別方法である。
【００１０】
上記プラスチック識別方法によれば、廃棄プラスチックの汚れや異物により識別が不可能な場合、試験片を複数回移動させることで、同一面内の汚れ、異物の影響しない箇所の測定ができるので、廃棄プラスチックを汚れや異物の影響なく識別することができる。
【００１１】
また、本発明の請求項２のプラスチック識別方法は、試験片を打抜き加工し、前記試験片の打抜き断面を全反射測定法を用いてプラスチックの種類を識別測定するにあたり、前記試験片を打抜き断面の厚み方向に移動させながら同一直線上に沿って複数ポイント測定することを特徴とするプラスチック識別方法である。
【００１２】
上記プラスチック識別方法によれば、廃棄プラスチックを汚れや異物の影響なく識別することができ、また、プラスチックの劣化度合いを判断することができる。さらに、２色成形やサンドイッチ成形品に対しても、確実に精度良く２種類のプラスチックを識別することができる。
【００１３】
また、本発明の請求項３のプラスチック識別装置は、少なくとも、プラスチックの種類を識別する識別検出部と、識別対象プラスチック物から試験片をサンプリングするサンプリング部と、前記試験片を識別検出部に供給する試験片供給部と、前記試験片供給部に併設して前記試験片を保脱可能に狭持するチャッキング部とを具備し、前記識別検出部において、前記チャッキング部を前後左右に移動させる移動手段と前記チャッキング部を回転させる回転手段を備えたことを特徴とする。
【００１４】
上記プラスチック識別装置によれば、廃棄プラスチックを汚れや異物の影響なく識別することができ、また、プラスチックの劣化度合いを判断することができる。さらに、２色成形やサンドイッチ成形品に対しても、確実に精度良く２種類のプラスチックを識別することができる。
【００１５】
【発明の実施の形態】
以下、本発明の実施の形態におけるプラスチック識別方法および装置について、図１〜図６を用いて説明する。
（実施の形態１）
図１は本発明の実施の形態１におけるプラスチック識別装置およびそのプラスチック識別方法を説明するためのもので、試験片を識別検出部に押圧して測定するときの概略図である。本発明の実施の形態１のプラスチック識別装置およびその方法は、図１に示すような赤外線４による分析を利用した全反射測定法であり、プラスチックを識別する識別検出部３に試験片１を置き、押圧子２により押圧させることで得られる赤外スペクトルからプラスチックの種類を識別する。
【００１６】
識別手順は、まず廃棄プラスチックから試験片１をパンチプレスにより打抜く。打抜かれた試験片１は、図２のように、試験片供給部５に併設されたチャッキング部６に狭持され、試験片供給部５により、識別検出部３に運ばれ、識別される。
この時、部分的に表面に汚れ、もしくは異物などが付着している試験片１を、識別検出部３に押圧し測定した場合、この汚れ、または異物の付着部分を識別すると、汚れ、または異物が影響し、プラスチックの種類を識別判定することができない。このような場合は、試験片１を狭持したままチャッキング部６を移動手段７により図２の中矢印方向のように前後左右に動かすことで汚れや異物の付着していないポイントを識別判定するまで、移動、識別判定を繰り返す。
以上のように、このプラスチック識別装置を用いてプラスチック識別方法によれば、廃棄プラスチックの汚れや異物により識別が不可能な場合、試験片を複数回移動させることで、同一面内で汚れ、異物の影響しない異なったポイントの測定ができるので、廃棄プラスチックを汚れや異物の影響なく識別することができる。
（実施の形態２）
図３は、本発明の実施の形態２におけるプラスチック識別装置およびプラスチック識別方法を示したもので、試験片を打抜き加工し、試験片の打抜き断面を全反射測定法を用いて測定する時の概略図である。図４、図５は、試験片の打抜き断面の識別測定説明図であり、図５は、識別検出部を真上からみた図である。
【００１７】
識別手順は、図３のように、打抜かれた試験片１をチャッキング部６により狭持し、実施の形態１における図２の状態から、試験片１の打抜き断面が識別検出部３に押圧接触されるようにチャッキング部６を回転手段８により図３中矢印方向に９０度回転させる。そして図４、図５のように、識別検出部３に試験片１の打抜き断面の左端部９が接触するように移動手段７によりチャッキング部６を移動させ、試験片１を押圧接触させ識別測定する。さらに、試験片１の厚み方向（図４、図５中矢印方向）に移動手段７によりチャッキング部６を移動させ、再び試験片１を押圧接触させ識別測定する。これを繰り返し、試験片１の右端部１０を識別測定するまで同一直線上（図４、図５中Ｘ線）を複数ポイントで識別測定する。
以上のようなプラスチック識別装置およびプラスチック識別方法によれば、試験片の厚み方向に複数ポイント測定するため、プラスチックの劣化度合いを判断することができる。さらに、２色成形やサンドイッチ成形品に対しても、複数回測定する中で、確実に精度良く２種類のプラスチックを識別測定することができる。
（実施の形態３）
図６は本発明の実施の形態３におけるプラスチック識別装置の概略図である。
【００１８】
本発明の実施の形態３のプラスチック識別装置は、少なくとも、プラスチックの種類を識別する識別検出部３と、識別対象プラスチック物から試験片１をサンプリングするサンプリング部１１と、試験片１を識別検出部３に供給する試験片供給部５と、試験片供給部５に併設して試験片１を保脱可能に狭持するチャッキング部６とを具備し、識別検出部３において、チャッキング部６を前後左右に移動させる移動手段７とチャッキング部６を回転させる回転手段８を備えている。
【００１９】
本実施の形態においては、識別対象となる廃棄プラスチックとしてテレビジョン受像機のバックカバーを使用した。
【００２０】
識別手順は、まずサンプリング部１１にテレビジョン受像機のバックカバー１２を取り付け、試験片１をパンチプレスにより打抜く。打抜かれた試験片１は、搬送され試験片供給部５に併設されたチャッキング部６に狭持され、試験片供給部５により、識別検出部３に運ばれる。そして、識別検出部３で試験片１を狭持したままチャッキング部６を図２のように移動手段７により前後左右に動かし、同一面内で複数ポイント測定する。また、図３、図４のように、チャッキング部６を回転手段８により９０度回転させ、識別検出部３に試験片１の打抜き断面の左端部９が接触するように移動手段７によりチャッキング部６を移動させ、試験片１を押圧接触させ識別測定する。さらに、試験片１の厚み方向（図４、図５中矢印方向）に移動手段７によりチャッキング部６を移動させ、再び試験片１を押圧接触させ識別測定する。これを繰り返し、試験片１の右端部１０を識別測定するまで同一直線上を複数ポイントで識別測定する。
【００２１】
以上のようなプラスチック識別装置によれば、廃棄プラスチックを汚れや異物の影響なく識別することができ、また、プラスチックの劣化度合いを判断することができる。さらに、２色成形やサンドイッチ成形品に対しても、確実に精度良く２種類のプラスチックを識別することができる。
【００２２】
【発明の効果】
以上のように、本発明のプラスチック識別方法および装置によれば、廃棄プラスチックを汚れや異物の影響なく識別することができ、また、プラスチックの劣化度合いを判断することができる。さらに、２色成形やサンドイッチ成形品に対しても、確実に精度良く２種類のプラスチックを識別することができるプラスチック識別方法および装置を提供することができる。
【図面の簡単な説明】
【図１】本発明の（実施の形態１）におけるプラスチック識別方法の概略図
【図２】本発明の（実施の形態１）におけるプラスチック識別方法の識別測定説明図
【図３】本発明の（実施の形態２）におけるプラスチック識別方法の概略図
【図４】本発明の（実施の形態２）におけるプラスチック識別方法の識別測定説明図
【図５】本発明の（実施の形態２）におけるプラスチック識別方法の識別測定説明図
【図６】本発明の（実施の形態３）におけるプラスチック識別装置の概略図
【符号の説明】
１  試験片
２  押圧子
３  識別検出部
４  赤外線
５  試験片供給部
６  チャッキング部
７  移動手段
８  回転手段
９  左端部
１０  右端部
１１  サンプリング部
１２  バックカバー
【図１】
2004151067.tif 000003
【図２】
2004151067.tif 000004
【図３】
2004151067.tif 000005
【図４】
2004151067.tif 000006
【図５】
2004151067.tif 000007
【図６】
2004151067.tif 000008